(57)【要約】  【課題】材料価格高騰により難燃性樹脂材料もその材料価格が非常に高騰し、またその難燃性グレード材料のリサイクル材もそのグレードが特殊であるが上に供給量が少なく、商品開発における直材価格高騰を抑制できないというということ。  【解決手段】内箱２と外箱３との間に断熱材４を発泡充填させた本体１と、この本体１に設けられた難燃性樹脂よりなる部品を備え、その部品はスチレン系再生樹脂９に難燃剤１０を添加し難燃性を有することにより、難燃性樹脂材料の材料価格高騰に影響されず、安価仕様材料を用いた冷蔵庫を提供することができる。【選択図】図１
2008095984.tif 000002
【特許請求の範囲】
【請求項１】
内箱と外箱との間に断熱材を発泡充填させた本体と、この本体に設けられた難燃性樹脂よりなる部品を備え、前記難燃性樹脂よりなる部品はスチレン系再生樹脂材料に難燃剤を添加し難燃性を有することを特徴とする冷蔵庫。
【請求項２】
難燃性樹脂よりなる部品は、難燃剤を添加する際に分散性を向上するためカップリング剤を添加した材料を用いた請求項１に記載の冷蔵庫。
【請求項３】
難燃性樹脂よりなる部品は、難燃剤を高濃度にしたものを部品成形時にスチレン系再生樹脂材料に規定量混合する成形方法を用いた請求項１に記載の冷蔵庫。
【請求項４】
難燃性樹脂よりなる部品は、スチレン系再生樹脂材料にポリブタジエンラバーを添加したことを特徴とする請求項１に記載の冷蔵庫。
【請求項５】
難燃性樹脂よりなる部品は、ポリブタジエンラバーをスチレン系再生樹脂材料に添加する際に混練処理を複数回おこなった材料を用いることを特徴とする請求項１に記載の冷蔵庫。
【発明の詳細な説明】
【技術分野】
【０００１】
本発明は、難燃性樹脂よりなる部品を備えた冷蔵庫に関するものである。
【背景技術】
【０００２】
従来、冷蔵庫の制御基板等の高電圧部品を収納する部品には難燃性を有する樹脂材料を用い不燃化設定がなされている（例えば、特許文献１参照）。
【０００３】
以下、図面を参照しながら上記従来の冷蔵庫を説明する。
【０００４】
図４は従来の冷蔵庫の外郭図を示す。
【０００５】
冷蔵庫本体１は内箱２と外箱３とその間に充填された発泡断熱材４とから構成され、上から順に冷蔵室５、冷凍室６を設けて、図示しないが本体中に配置された冷凍サイクルの冷却器、ファン、及び冷気制御ダンパなどにより各室の温度が設定温度に調節されている。制御７は難燃性樹脂よりなる部品で、基板を収納する制御基板ＢＯＸ部品となっている。
【０００６】
上記構成により、冷蔵庫の高電圧部の不燃化設計仕様となっている。
【特許文献１】特開２００１−２６７１９号公報
【発明の開示】
【発明が解決しようとする課題】
【０００７】
しかしながら上記従来の構成では、昨今の材料価格高騰により難燃性樹脂材料もその材料価格が非常に高騰し、またその難燃性グレード材料のリサイクル材もそのグレードが特殊であるが上に供給量が少なく、商品開発における直材価格高騰を抑制できないという課題を有していた。
【０００８】
本発明は従来の課題を解決するもので、難燃性などの特殊グレード材料の安価仕様材料を用いた冷蔵庫を提供することを目的とする。
【課題を解決するための手段】
【０００９】
上記記載の課題を解決するために、本発明の冷蔵庫は、難燃性を必要とする部品に用いる材料に再生樹脂材料に難燃性特性を付与することにより、特殊グレード材料の直材価格高騰抑制の作用を有する。
【００１０】
また、本発明の冷蔵庫は、その難燃性の特性を有する再生樹脂材料に剛性向上特性を付与することにより、構造上高剛性の特性が必要な部品に用いる特殊グレード材料の直材価格高騰を抑制できる作用を有する。
【発明の効果】
【００１１】
本発明の冷蔵庫は、難燃性を必要とする部品に用いる材料に再生樹脂材料に難燃性特性を付与することで、難燃性樹脂材料の材料価格高騰に影響されず、安価仕様材料を用いた冷蔵庫を提供することができる。
【００１２】
また、本発明の冷蔵庫は、その難燃性の特性を有する再生樹脂材料に剛性向上特性を付与することで、構造上高剛性の特性が必要な部品に用いる難燃性樹脂材料の材料価格高騰に影響されず、安価仕様材料を用いた冷蔵庫を提供することができる。
【発明を実施するための最良の形態】
【００１３】
請求項１に記載の発明は、内箱と外箱との間に断熱材を発泡充填させた本体と、この本体に設けられた難燃性樹脂よりなる部品を備え、その部品はスチレン系再生樹脂材料に難燃剤を添加し難燃性を有することにより、難燃性樹脂材料の材料価格高騰に影響されず、安価仕様材料を用いた冷蔵庫を提供することができる。
【００１４】
請求項２に記載の発明は、請求項１に記載の発明の冷蔵庫に、難燃性樹脂よりなる部品に、難燃剤を添加する際に分散性を向上するためカップリング剤を添加した材料を用いることにより、難燃性樹脂材料の材料価格高騰に影響されず、安価仕様材料を用いた冷蔵庫を提供することができる。
【００１５】
請求項３に記載の発明は、請求項１に記載の発明の冷蔵庫に、難燃性樹脂よりなる部品は、難燃剤を高濃度にしたものを部品成形時にスチレン系再生樹脂材料に規定量混合する成形方法を用いることにより、多種の難燃剤入りスチレン系再生樹脂材料の在庫を持つ必要もなく、フレキシブルに難燃剤の添加量の微調整ができ、難燃性樹脂材料の材料価格高騰に影響されず、安価仕様材料を用いた冷蔵庫を提供することができる。
【００１６】
請求項４に記載の発明は、請求項１記載の発明の冷蔵庫に、難燃性樹脂よりなる部品は、スチレン系再生樹脂材料にポリブタジエンラバーを添加したことにより、構造上高剛性の特性が必要な部品に用いる難燃性樹脂材料の材料価格高騰に影響されず、安価仕様材料を用いた冷蔵庫を提供することができる。
【００１７】
請求項５に記載の発明は、請求項１記載の発明の冷蔵庫に、難燃性樹脂よりなる部品は、ポリブタジエンラバーをスチレン系再生樹脂材料に添加する際に混練処理を複数回おこなった材料を用いることにより、構造上高剛性の特性が必要な部品に用いる難燃性樹脂材料の材料価格高騰に影響されず、安価仕様材料を用いた冷蔵庫を提供することができる。
【００１８】
以下、本発明の実施の形態について、図面を参照しながら説明する。なお、この実施の形態によってこの発明が限定されるものではない。
【００１９】
（実施の形態１）
図１は、本発明の実施の形態１による冷蔵庫の概略断面図で、８は再生樹脂よりなる制御基板ＢＯＸである。図２は同実施の形態の冷蔵庫の制御基板ＢＯＸの局部断面図（難燃性材料使用）であり、９はスチレン系再生樹脂、１０は難燃剤、１１カップリング剤である。
【００２０】
以上のように本実施の形態において、制御基板ＢＯＸの基材のスチレン系再生樹脂に臭素系難燃剤（ＰＢＢ、ＰＢＤＥ以外）のまたはアンチモンなどの難燃剤を添加することで、難燃性樹脂材料の材料価格高騰に影響されず、安価仕様材料を用いた冷蔵庫を提供することができる。
【００２１】
また、本実施の形態では、上記スチレン系再生樹脂に難燃剤を添加する方法として、その難燃剤を高濃度にしたものを部品成形時にスチレン系再生樹脂材料に規定量混合する成形方法を用いることにより、難燃剤を添加する際に事前にカップリング剤と混合しておくことで、樹脂成形品中の難燃剤の分散が良好になり、部品の形状によらず均一にその難燃性効果を発揮することができ、難燃性樹脂材料の材料価格高騰に影響されず、安価仕様材料を用いた冷蔵庫を提供することができる。
【００２２】
また、本実施の形態では、上記スチレン系再生樹脂に難燃剤を高濃度にしたものを部品成形時にスチレン系再生樹脂材料に規定量混合する成形方法を用いることで、多種の難燃剤入りスチレン系再生樹脂材料の在庫を持つ必要もなく、そのため、フレキシブルに難燃剤の添加量の微調整ができ、難燃性樹脂材料の材料価格高騰に影響されず、安価仕様材料を用いた冷蔵庫を提供することができる。
【００２３】
（実施の形態２）
図３は、本発明の実施の形態２による冷蔵庫の制御基板ＢＯＸの局部断面図（難燃性および高剛性材料使用）であり、１２はポリブタジエンラバーである。
【００２４】
以上のように、本実施の形態では、制御基板ＢＯＸの基材のスチレン系再生樹脂に難燃剤を添加したものに、更にポリブタジエンラバーを添加したことにより、構造上高剛性の特性が必要な部品に用いる難燃性樹脂材料の材料価格高騰に影響されず、安価仕様材料を用いた冷蔵庫を提供することができる。
【００２５】
また、本実施の形態では、上記スチレン系再生樹脂に難燃剤を添加したものに、更にポリブタジエンラバーを添加する際に、その混練処理を複数回行うことで、そのポリブタジエンラバーの分散性が向上し、部品の形状によらず均一にその難燃性と高剛性の特性を発揮することができ、構造上高剛性の特性が必要な部品に用いる難燃性樹脂材料の材料価格高騰に影響されず、安価仕様材料を用いた冷蔵庫を提供することができる。
【産業上の利用可能性】
【００２６】
以上のように、本発明にかかる冷蔵庫は、難燃性樹脂材料の材料価格高騰に影響されず、安価な仕様で、難燃性を必要とする部品に用いる材料に再生樹脂材料に難燃性特性を付与でき、また構造上剛性の特性が必要な部品にも難燃性と高剛性を付与できるため、安価仕様で不燃化設計を施す必要のある家電製品等の用途にも適用できる。
【図面の簡単な説明】
【００２７】
【図１】本発明の実施の形態１による冷蔵庫の概略断面図
【図２】本発明の実施の形態１による冷蔵庫の制御基板ＢＯＸの局部断面図
【図３】本発明の実施の形態２による冷蔵庫の制御基板ＢＯＸの局部断面図
【図４】従来の冷蔵庫の概略断面図
【符号の説明】
【００２８】
１    冷蔵庫本体
２    内箱
３    外箱
４    発泡断熱材
８    再生樹脂よりなる制御基板ＢＯＸ
９    スチレン系再生樹脂
１０  難燃剤
１１  カップリング剤
１２  ポリブタジエンラバー
【図１】
2008095984.tif 000003
【図２】
2008095984.tif 000004
【図３】
2008095984.tif 000005
【図４】
2008095984.tif 000006